(57)【特許請求の範囲】
【請求項１】
トラクタに直装されるブーム散布装置であって、
液剤が貯留されるタンクと、
前記タンク内の液剤を散布ホースに圧送するポンプと、
前記タンクと前記ポンプが搭載される機体枠と、
前記機体枠に折り畳み自在に枢支されて、前記散布ホースに連通する散布ノズルを備えたブーム機構とを備え、
前記機体枠は、トラクタの３点リンクヒッチに装備された連結補助カプラに連結する連結部を前部に備え、
前記機体枠の下部には、当該機体枠を前傾姿勢で起立支持する支脚が設けられ、
前記支脚は、前後に延在するフレームを備え、該フレームの後端部に車輪が設けられ、該フレームの前端部には接地部が設けられ、
前記機体枠の前部には、前記接地部を持ち上げて前記車輪によって前記機体枠を移動させるハンドルが設けられ、
前記車輪は、前記連結部のリフトアップ時に前記機体枠をトラクタ側に案内し、前記連結部の降下時に前記機体枠をトラクタと逆側に案内することを特徴とするブーム散布装置。
【請求項２】
前記ハンドルは、前記前部に沿った収納状態に折り畳み自在に設けられることを特徴とする請求項１記載のブーム散布装置。
【発明の詳細な説明】
【技術分野】
【０００１】
本発明は、トラクタに直装されるブーム散布装置に関するものである。
【背景技術】
【０００２】
ブームスプレーヤなどのブーム散布装置には、トラクタ直装式のものが知られている。トラクタ直装式のブーム散布装置は、トラクタの３点リンクヒッチに装着され、トラクタの進行方向に交差する側方にブームを展開した状態で散布作業を行い、非作業時には、通常、トラクタの３点リングヒッチから取り外され、倉庫などの収納場所に収納される。
【０００３】
このようなトラクタ直装式のブーム散布装置においては、収納場所での移動やトラクタの３点リンクヒッチへの装着を簡易に行うために、例えば下記特許文献１に記載されるようなスタンド構造を備えたものが知られている。この従来技術は、薬液タンクなどが搭載された機体の下部に、一対の折り畳み自在な支脚が取り付けられており、この支脚の下端に走行輪が設けられている。
【先行技術文献】
【特許文献】
【０００４】
【特許文献１】特開２００１−３４６４９５号公報
【発明の概要】
【発明が解決しようとする課題】
【０００５】
前述した従来技術によると、スタンド構造の支脚に前後２輪ずつの４つの走行輪が装備されており、方向自在性を有するキャスタ式タイヤでこの走行輪を構成することで、収納場所内でブーム散布装置を自由に移動させることが可能になる。しかしながら、収納場所内でブーム散布装置を固定する場合には、４つの走行輪全てにロック操作を施す必要があり、移動時と固定時のロック操作及びロック解除操作が煩雑になる問題があった。
【０００６】
一方、トラクタの３点リンクヒッチに作業機を簡易に連結する機構として、クイックヒッチ或いはオートヒッチと呼ばれる連結機構が普及している。この連結機構は、トラクタの３点リンクヒッチに予め連結補助カプラ（例えば、クイックカプラ）を装着しておき、作業機側に連結補助カプラの３箇所の係合部にそれぞれ係合する３箇所の連結部を設けたものである。
【０００７】
前述したスタンド構造を備えたブーム散布装置をクイックヒッチ或いはオートヒッチと呼ばれる連結機構に対応させた場合、４つの車輪のロックを解除していると、トラクタをブーム散布装置に近づける段階で連結補助カプラがブーム散布装置の連結部に接触してブーム散布装置が移動してしまい、補助作業者無しでは円滑に連結することができない問題がある。
【０００８】
また、スタンド構造によって、ブーム散布装置が直立状態になっているので、連結補助カプラのトップ位置の係合部をブーム散布装置のトップ位置の連結部に係合させるのが難しく、クックヒッチ或いはオートヒッチと呼ばれる連結機構を利用した円滑な連結を行うことができない問題があった。
【０００９】
本発明は、このような問題に対処することを課題の一例とするものである。すなわち、トラクタの３点リンクヒッチから取り外された状態では、収納場所内で自由にブーム散布装置を移動させることができ、且つ簡易にブーム散布装置を固定することができること、トラクタの３点リンクヒッチに装備された連結補助カプラとの連結時には、補助作業者無しであっても円滑な連結が可能であること、等が本発明の目的である。
【課題を解決するための手段】
【００１０】
このような目的を達成するために、本発明によるブーム散布装置は、以下の構成を少なくとも具備するものである。
【００１１】
トラクタに直装されるブーム散布装置であって、液剤が貯留されるタンクと、前記タンク内の液剤を散布ホースに圧送するポンプと、前記タンクと前記ポンプが搭載される機体枠と、前記機体枠に折り畳み自在に枢支されて、前記散布ホースに連通する散布ノズルを備えたブーム機構とを備え、前記機体枠は、トラクタの３点リンクヒッチに装備された連結補助カプラに連結する連結部を前部に備え、前記機体枠の下部には、当該機体枠を前傾姿勢で起立支持する支脚が設けられ、前記支脚は、前後に延在するフレームを備え、該フレームの後端部に車輪が設けられ、該フレームの前端部には接地部が設けられ、前記機体枠の前部には、前記接地部を持ち上げて前記車輪によって前記機体枠を移動させるハンドルが設けられ、前記車輪は、前記連結部のリフトアップ時に前記機体枠をトラクタ側に案内し、前記連結部の降下時に前記機体枠をトラクタと逆側に案内することを特徴とするブーム散布装置。
【発明の効果】
【００１２】
このような特徴を有するブーム散布装置によると、トラクタの３点リンクヒッチから取り外された状態では、ハンドルを持って支脚の接地部を持ち上げることで、車輪によって収納場所内で自由にブーム散布装置を移動させることができる。また、ブーム散布装置の固定時には、支脚の接地部を接地させるだけで簡易にブーム散布装置を固定することができる。
【００１３】
トラクタの３点リンクヒッチに装備された連結補助カプラとの連結時には、ブーム散布装置は支脚によって前傾姿勢で起立支持されているので、連結補助カプラのトップ位置係合部を簡易に連結部に係合させることができる。更に、連結時には支脚の車輪がブーム散布装置をトラクタ側に案内するので、補助作業者無しであってもブーム散布装置を連結補助カプラに円滑に連結させることができる。
【図面の簡単な説明】
【００１４】
【図１】本発明の実施形態に係るブーム散布装置の全体構成を示した説明図（全体斜視図）である。
【図２】本発明の実施形態に係るブーム散布装置の機能を説明する説明図である。
【図３】本発明の実施形態に係るブーム散布装置の機能を説明する説明図である。
【発明を実施するための形態】
【００１５】
以下、図面を参照して本発明の実施形態を説明する。図１は、本発明の実施形態に係るブーム散布装置の全体構成を示した説明図（全体斜視図）である。ブーム散布装置１は、薬液などの液剤が貯留されるタンク２と、タンク２内の液剤を図示省略した散布ホースに圧送するポンプ３と、タンク２とポンプ３が搭載される機体枠１０と、機体枠１０に折り畳み自在に枢支されて、図示省略の散布ホースに連通する散布ノズル４を備えたブーム機構５とを備えている。ブーム機構５は、機体枠１０に枢支されたブーム開閉部５１とブーム開閉部５１に着脱自在に取り付けられるブーム保持部５２とブーム保持部５２に保持されるブーム５３とを備えている。図示省略した散布ホースは、ブーム５３に沿って配備されており、ブーム５３に所定間隔で複数配置される散布ノズル４に連通している。ブーム開閉部５１は斜め後方に傾斜した枢支軸５０によって機体枠１０に枢支されており、ブーム機構５は、ブーム５３の先端が斜め上方に向くように折り畳み自在になっている。
【００１６】
機体枠１０は、その前部１０Ａにトラクタに直装するための連結部１１を備える。連結部１１は、トラクタの３点リンクヒッチに装備された連結補助カプラ（図示省略）に連結する部位であり、トップ位置連結部１１Ａとロア位置連結部１１Ｂ，１１Ｂを備えている。ここでいう連結補助カプラとは、トラクタの３点リンクヒッチと作業機の連結を簡易に行うために設けられる機構であり、一般に、クイックヒッチ，クイックカプラ，オートヒッチなどと呼ばれている機構を含んでいる。
【００１７】
機体枠１０の下部１０Ｂには、機体枠１０を前傾姿勢で起立支持する支脚６が設けられる。支脚６は、機体枠１０の下部１０Ｂに着脱自在に設けても良いし、固定的に設けても良い。支脚６は、前後に延在するフレーム６０を備えている。フレーム６０の後端部には車輪６１が設けられ、フレーム６０の前端部には接地部６２が設けられている。フレーム６０の接地部６２が接地している状態で支脚６は固定され、その状態で支脚６は機体枠１０を前傾姿勢で起立支持している。フレーム６０は直立部６０Ａを備えており、この直立部６０Ａが機体枠１０の下部１０Ｂに取り付けられている。
【００１８】
機体枠１０の前部１０Ａには、ハンドル７が設けられている。ハンドル７は、車輪６１を支点にして接地部６２を手動で持ち上げて、車輪６１によって機体枠１０を移動させる機能を有する。ハンドル７は、機体枠１０の前部１０Ａに沿って折り畳み自在に設けても良いし、固定した状態で設けても良い。
【００１９】
機体枠１０には、入力軸１２が設けられている。入力軸１２は、連結補助カプラに固定されるユニバーサルジョイントの出力継手に接続することで、トラクタのＰＴＯ軸から出力される駆動力がユニバーサルジョイントを介して入力される。入力軸１２はポンプ３の駆動軸に接続されている。
【００２０】
図２及び図３は、本発明の実施形態に係るブーム散布装置の機能を説明する説明図である。図２は、トラクタから取り外したブーム散布装置を移動させる際の機能を示しており、図示の例では、ブーム機構５からブーム５３を取り外した状態を示している。
【００２１】
図２（ａ）に示すように、ブーム散布装置１は、支脚６の接地部６２を地面又は床面Ｇに接地することで、機体枠１０を前傾姿勢で起立させて収納することができる。この際、接地部６２の接地抵抗で機体枠１０は固定されるので、特に支脚６の車輪６１にロック機構を設けなくても、簡単にブーム散布装置１を地面又は床面Ｇに固定することができる。
【００２２】
ブーム散布装置１を移動させる際には、図２（ｂ）に示すように、作業者Ｗがハンドル７を持って支脚６の接地部６２を持ち上げる。一般に収納時にはタンク２内は空になっており、ブーム散布装置１の総重量は比較的軽量になっている。これによって、人手によって簡易に接地部６２を持ち上げることが可能になる。接地部６２を持ち上げた後は、車輪６１を利用した猫車の原理で簡易にブーム散布装置１を移動させることができる。一般に、キャスタ付の農作業機はよく知られているが、ロータリなどの農作業機は重量が非常に重く人手によって接地部６２を持ち上げる支脚６の構成を採用することができない。本発明は、タンク２内が空になることで総重量が軽量化されるブーム散布装置１の特性を巧みに利用したものである。
【００２３】
図３は、ブーム散布装置をトラクタに連結する際の機能を示している。トラクタＴには、後部の３点リンクヒッチのトップリンクＴ１とロアリンクＴ２に連結補助カプラＱが装備されている。図３（ａ）に示すように、ブーム散布装置１は支脚６によって前傾姿勢に起立支持されているので、トラクタＴに装備される連結補助カプラＱのトップ位置係合部Ｑ１を簡易に機体枠１０の前部１０Ａに設けられるトップ位置連結部１１Ａに係合することができる。この際、機体枠１０は支脚６の接地部６２によって床面又は地面Ｇに固定されているので、車輪６１をロックしなくても無闇に機体枠１０が移動することがなく、これによってもトップ位置係合部Ｑ１を簡易に機体枠１０のトップ位置連結部１１Ａに係合することができる。
【００２４】
連結補助カプラＱのトップ位置係合部Ｑ１を機体枠１０におけるトップ位置連結部１１Ａに係合した後、図３（ｂ）に示すように、３点リンクヒッチ（トップリンクＴ１及びロアリンクＴ２）をリフトアップすると、支脚６の接地部６２が持ち上げられるが、その際車輪６１が接地した状態で機体枠１０をトラクタＴ側に案内する。これによって、機体枠１０に設けられるロア位置連結部１１Ｂが円滑に連結補助カプラＱのロア位置係合部Ｑ２に係合されることになる。
【００２５】
このように、本発明の実施形態に係る支脚６の車輪６１は、ハンドル７による手押し移動時の移動輪として機能すると共に、連結補助カプラＱを備えたトラクタＴにブーム散布装置１を連結する際の連結案内輪として機能する。特に、支脚６の車輪６１がフレーム６０の後方側のみに設けられているので、機体枠１０の前部１０Ａに設けたハンドル７によって接地部６２を持ち上げて自由にブーム散布装置１を移動させることができ、トラクタＴへの連結時には前傾した機体枠１０を円滑にトラクタＴ側に案内することができる。
【００２６】
また、トラクタＴからブーム散布装置１を取り外す際には、図３（ｂ）に示す状態になるまで３点リンクヒッチ（トップリンクＴ１及びロアリンクＴ２）を降下させて先ず車輪６１を接地させることができ、その後更に３点リンクヒッチを降下させると車輪６１が移動して円滑に支脚６の接地部６２を接地させることができる。そして、連結補助カプラＱからブーム散布装置１を取り外す際には、支脚６の接地部６２によってブーム散布装置１が固定されているので、取り外し作業中にブーム散布装置１が移動してしまう不具合がなく、速やかにブーム散布装置１を連結補助カプラＱから取り外すことができる。
【００２７】
以上説明したように、本発明の実施形態に係るブーム散布装置１によると、トラクタＴの３点リンクヒッチから取り外された状態では、ハンドル７を持って支脚６の接地部６２を持ち上げることで、車輪６１によって収納場所内で自由にブーム散布装置１を移動させることができる。また、ブーム散布装置１の固定時には、支脚６の接地部６２を接地させるだけで特に車輪６１をロックしなくても簡易にブーム散布装置１を固定することができる。
【００２８】
更には、トラクタＴの３点リンクヒッチに装備された連結補助カプラＱとの連結時には、ブーム散布装置１は支脚６によって前傾姿勢で起立支持されているので、連結補助カプラＱのトップ位置係合部Ｑ１を簡易にトップ位置連結部１１Ａに係合させることができる。更に、連結時には支脚６の車輪６１がブーム散布装置１をトラクタＴ側に案内するので、補助作業者無しであってもブーム散布装置１を円滑に連結補助カプラＱに連結させることができる。
【符号の説明】
【００２９】
１：：ブーム散布装置，２：タンク，３：ポンプ，４：散布ノズル，
５：ブーム機構，５０：枢支軸，５１：ブーム開閉部，５２：ブーム保持部，
５３：ブーム，
６：支脚，６０：フレーム，６０Ａ：直立部，６１：車輪，
６２：接地部，
７：ハンドル，
１０：機体枠，１０Ａ：前部，１０Ｂ：下部，
１１：連結部，１１Ａ：トップ位置連結部，１１Ｂ：ロア位置連結部，
１２：入力軸，Ｔ：トラクタ
【図１】
0006041545.tif 000002
【図２】
0006041545.tif 000003
【図３】
0006041545.tif 000004